(57)【要約】【課題】コネクタハウジング内におけるバスバーの配置スペースの省スペース化を図る。【解決手段】ジョイントコネクタ１００は、電線５１の先端部に設けられた接続端子５３が接続される板状のバスバー１０と、このバスバー１０を保持するハウジング１１０とを備える。バスバー１０は、ハウジング１１０の装着孔１１１からハウジング１１０に装着され、接続端子５３が挿入接続される、二次元的に配置された複数の孔部１４を有する。ハウジング１１０は、接続端子５３をバスバー１０の孔部１４に導入する端子導入口１１３を有する。また、ハウジング１１０は、孔部１４に接続された接続端子５３に接続される接続端子５４を、接続端子５３の挿入方向とは反対方向から挿入する端子導入口１１４を有する。【選択図】図１
2013232337.tif 000002
【特許請求の範囲】
【請求項１】
電線の先端部に設けられた第１の接続端子が接続される板状のバスバーと、
このバスバーを保持するハウジングとを備えたジョイントコネクタであって、
前記バスバーは、前記第１の接続端子が挿入接続される孔を有し、
前記ハウジングは、前記第１の接続端子を前記バスバーの前記孔に導入する第１の端子導入口を有する
ことを特徴とするジョイントコネクタ。
【請求項２】
前記ハウジングは、前記第１の接続端子に接続される第２の接続端子を前記バスバーの前記孔に向けて導入する第２の端子導入口を有する
ことを特徴とする請求項１記載のジョイントコネクタ。
【請求項３】
前記バスバーは、二次元的に配置された複数の前記孔を有する
ことを特徴とする請求項１又は２記載のジョイントコネクタ。
【請求項４】
前記ハウジングは筒状に形成され、前記バスバーは、前記ハウジングの形状に対応した円弧状に形成されている
ことを特徴とする請求項１〜３のいずれか１項記載のジョイントコネクタ。
【請求項５】
複数の孔を有する板状のバスバーと、前記バスバーの前記孔に挿入接続される第１の接続端子との接続構造であって、
前記孔は、その内周側に前記第１の接続端子に弾性接触する第１の弾性導電部材を備え、
前記第１の接続端子は、前記第１の弾性導電部材と所定の接圧を持って接続されている
ことを特徴とする接続端子の接続構造。
【請求項６】
複数の孔を有する板状のバスバーと、前記バスバーの前記孔に挿入接続される第１の接続端子との接続構造であって、
前記第１の接続端子は、その外周側に前記孔への挿入時に収縮するように変位すると共に、挿入後に前記孔の開口周縁部に係合可能に膨張するように変位する第２の弾性導電部材を備え、
前記第２の弾性導電部材によって、前記孔から抜けない状態で接続されている
ことを特徴とする接続端子の接続構造。
【請求項７】
前記第１の接続端子に接続される第２の接続端子を、前記第１の接続端子の前記孔への挿入方向とは反対方向から挿入して接続する
ことを特徴とする請求項５又は６記載の接続端子の接続構造。
【発明の詳細な説明】
【技術分野】
【０００１】
この発明は、複数の電線を接続するジョイントコネクタ及び接続端子の接続構造に関する。
【背景技術】
【０００２】
複数の電線を接続するものとして、電線の先端部に設けられた接続端子が接続される櫛歯状の端子接続部を有する板状のバスバーを備えたジョイントコネクタが用いられている（特許文献１参照）。このジョイントコネクタの櫛歯状のバスバーは、複数の接続端子が挿入接続される複数の端子接続部位と、これら端子接続部位を接続端子の挿入方向と交差する方向に連結する連結部位とを備えている。
【先行技術文献】
【特許文献】
【０００３】
【特許文献１】特開平１０−２５５９３６号公報
【発明の概要】
【発明が解決しようとする課題】
【０００４】
しかしながら、上記特許文献１に開示された従来技術のジョイントコネクタでは、櫛歯状のバスバーを採用し、電線の先端に接続された接続端子がバスバーの複数の凸部に接続されると共に、接続端子の先端側にバスバーの連結部位が配置される構造であるため、バスバーの連結部位を含めた接続端子挿入方向の省スペース化が図りにくいという問題がある。
【０００５】
この発明は、上述した従来技術による問題点を解消し、コネクタハウジングの接続端子挿入方向の省スペース化を図ることができるジョイントコネクタ及び接続端子の接続構造を提供することを目的とする。
【課題を解決するための手段】
【０００６】
本発明に係るジョイントコネクタは、電線の先端部に設けられた第１の接続端子が接続される板状のバスバーと、このバスバーを保持するハウジングとを備えたジョイントコネクタであって、前記バスバーは、前記第１の接続端子が挿入接続される孔を有し、前記ハウジングは、前記第１の接続端子を前記バスバーの前記孔に導入する第１の端子導入口を有することを特徴とする。
【０００７】
本発明に係るジョイントコネクタによれば、第１の接続端子が挿入接続される孔を有する板状のバスバーに対し、ハウジングに形成された第１の端子導入口から第１の接続端子を挿入してバスバーの孔に導入して接続するので、バスバーの連結部位を含めた接続端子挿入方向の省スペース化を図ることができる。
【０００８】
本発明の一実施形態においては、前記ハウジングは、前記第１の接続端子に接続される第２の接続端子を前記バスバーの前記孔に向けて導入する第２の端子導入口を有する。
【０００９】
本発明の他の実施形態においては、前記バスバーは、二次元的に配置された複数の前記孔を有する。
【００１０】
本発明の更に他の実施形態においては、前記ハウジングは筒状に形成され、前記バスバーは、前記ハウジングの形状に対応した円弧状に形成されている。
【００１１】
本発明に係る接続端子の接続構造は、複数の孔を有する板状のバスバーと、前記バスバーの前記孔に挿入接続される第１の接続端子との接続構造であって、前記孔は、その内周側に前記第１の接続端子に弾性接触する第１の弾性導電部材を備え、前記第１の接続端子は、前記第１の弾性導電部材と所定の接圧を持って接続されている。
【００１２】
本発明に係る接続端子の接続構造によれば、バスバーの孔の内周側に第１の接続端子に弾性接触する第１の弾性導電部材が設けられているので、第１の接続端子をバスバーに確実に接続することができる。
【００１３】
本発明に係る他の接続端子の接続構造は、複数の孔を有する板状のバスバーと、前記バスバーの前記孔に挿入接続される第１の接続端子との接続構造であって、前記第１の接続端子は、その外周側に前記孔への挿入時に収縮するように変位すると共に、挿入後に前記孔の開口周縁部に係合可能に膨張するように変位する第２の弾性導電部材を備え、前記第２の弾性導電部材によって、前記孔から抜けない状態で接続されている。
【００１４】
本発明に係る他の接続端子の接続構造によれば、第１の接続端子の外周側に孔への挿入時に収縮するように変位すると共に、挿入後に孔の開口周縁部に係合可能に膨張するように変位する第２の弾性導電部材が設けられているので、第１の接続端子をバスバーに確実に接続することができる。
【００１５】
本発明に係る上記接続端子の接続構造の一実施形態においては、前記第１の接続端子に接続される第２の接続端子を、前記第１の接続端子の前記孔への挿入方向とは反対方向から挿入して接続する。
【発明の効果】
【００１６】
本発明によれば、コネクタハウジング内におけるバスバーの配置スペースの省スペース化を図ることができる。
【００１７】
また、本発明によれば、接続端子をバスバーに確実に接続することができる。
【図面の簡単な説明】
【００１８】
【図１】本発明の一実施形態に係るジョイントコネクタ及び接続端子の接続構造を示す分解斜視図である。
【図２】同ジョイントコネクタのバスバーを示す斜視図である。
【図３】本発明の他の実施形態に係るジョイントコネクタを示す分解斜視図である。
【図４】同ジョイントコネクタを示す斜視図である。
【図５】同ジョイントコネクタの使用状態を示す斜視図である。
【図６】本発明の更に他のジョイントコネクタの使用状態を示す斜視図である。
【図７】同ジョイントコネクタの他の使用状態を示す正面図である。
【図８】本発明の他の実施形態に係る接続端子の接続構造を説明するための接続端子の側面及び正面図である。
【図９】同接続構造を説明するための接続端子とバスバーとの接続動作説明図である。
【図１０】本発明の更に他の実施形態に係る接続端子の接続構造を説明するための接続端子の側面図である。
【図１１】同接続構造を説明するための接続端子とバスバーとの接続動作説明図である。
【発明を実施するための形態】
【００１９】
以下、添付の図面を参照して、この発明の実施の形態に係るジョイントコネクタ及び接続端子の接続構造を詳細に説明する。
【００２０】
図１は、本発明の一実施形態に係るジョイントコネクタ及び接続端子の接続構造を示す分解斜視図である。また、図２は図１のＡ−Ａ’断面図である。図１及び図２に示すように、本実施形態に係るジョイントコネクタ１００は、電線５１の先端部に設けられた接続端子５３が接続される板状の金属部材からなるバスバー１０と、このバスバー１０を保持する樹脂成形部材からなるハウジング１１０とを備えて構成されている。
【００２１】
バスバー１０は、バスバー面に交わる方向から導入される接続端子５３が挿入接続されるための複数の孔部１４を備える。複数の孔部１４は、板面に沿って二次元的に配置されている。これらの孔部１４は、その内周側に接続端子５３の接続部５３ａに弾性接触する弾性片１４ａを備えた、いわゆるプッシュナット構造或いはスピードナット構造を有するように形成されている。
【００２２】
なお、バスバー１０の長手方向両端部近傍には、例えば装着孔１１１からのバスバー１０の不用意な脱落を防止するための、装着孔１１１の両端内壁面近傍に所定の圧力を持って引っ掛かる突起部１０ａが形成されている。なお、バスバー１０が圧入等により装着孔１１１から脱落しないような状態で装着される場合は、突起部１０ａは設けられていなくても良い。
【００２３】
一方、ハウジング１１０は、例えば矩形状の外形を備えており、上面部１１０ａに形成された、バスバー１０をハウジング１１０に装着するためのスリット状の装着孔１１１を備える。また、ハウジング１１０は、正面部１１０ｂに形成された、電線５１の先端部に取り付けられた接続端子５３をハウジング１１０の内部に導入するための端子導入口１１３と、背面部１１０ｃに形成された、電線５２の先端部に取り付けられた接続端子５４をハウジング１１０の内部に導入するための端子導入口１１４とを有する。
なお、正面部１１０ｂの端子導入口１１３は、ハウジング１１０内に装着されたバスバー１０に対して接続端子５３がバスバー１０の面に交わる方向、例えば法線方向から孔部１４に向けて導入されるように形成され、背面部１１０ｃの端子導入口１１４は、接続端子５３に接続される接続端子５４がバスバー１０の面に交わる方向、例えば法線方向（かつ接続端子５３の挿入方向とは反対方向）から孔部１４に向けて導入されるように形成されている。
【００２４】
ハウジング１１０の内部には、端子導入口１１３，１１４から続く端子収容室１１５が形成されている。なお、本例のハウジング１１０は、一体成形部材からなるが、分割可能な構造として複数部材で構成し、各部材を公知のロック機構等でロックして一つのハウジング１１０として用いるようにしても良い。ロック機構としては、例えば係合孔が設けられた係合片と、この係合片の係合孔に係合する係合突起が設けられた係合部とを係合してロックするもの等が挙げられる。
【００２５】
接続端子５３は、バスバー１０の孔部１４に挿入嵌合される接続部５３ａと、電線５１の芯線が圧着される芯線圧着部５３ｂと、電線５１を保持する電線保持部５３ｃとを備えて構成されている。接続端子５４は、孔部１４に挿入嵌合された接続端子５３の接続部５３ａに嵌合する接続部５４ａと、電線５２の芯線が圧着される芯線圧着部５４ｂと、電線５２を保持する電線保持部５４ｃとを備えて構成されている。
【００２６】
これら接続端子５３，５４は、一般的な雄雌端子構造のものを用いることができるが、特に接続端子５３の接続部５３ａと孔部１４とは、挿入嵌合時に弾性片１４ａにより所定の接圧を持って嵌合接続されるように設計されている。接続端子５３の接続部５３ａには、孔部１４の弾性片１４ａの開口周縁部に引っ掛かり抜けを防止するための基端側係合片５３ｄと、接続端子５４の接続部５４ａに形成された係合窓５４ｄに引っ掛かり接続端子５４の抜けを防止するための先端側係合片５３ｅとが形成されている。
【００２７】
このように構成されたジョイントコネクタ１００では、孔部１４を有する板状のバスバー１０に対し、ハウジング１１０の正面部１１０ｂに形成された端子導入口１１３から接続端子５３を挿入してバスバー１０の孔部１４に導入して接続する。また、孔部１４に接続された接続端子５３に対し、ハウジング１１０の背面部１１０ｃに形成された端子導入口１１４から接続端子５４を挿入してバスバー１０の孔部１４に挿入接続されている接続端子５３の接続部５３ａに接続する。従って、ハウジング１１０内における接続端子５３，５４の挿入方向のスペースをバスバー１０の厚さ分にすることができる。これにより、省スペース化を図ることが可能となる。
【００２８】
また、接続端子５３が弾性片１４ａを有するバスバー１０の孔部１４に接続され、基端側係合片５３ｄにより孔部１４に係合し、接続端子５４が接続端子５３に先端側係合片５３ｅが係合窓５４ｄに係合する状態で接続されるので、接続端子５３，５４をバスバー１０に確実に接続することが可能となる。
【００２９】
図３は、本発明の他の実施形態に係るジョイントコネクタを示す分解斜視図、図４は、このジョイントコネクタを示す斜視図である。図５は、このジョイントコネクタの使用状態を示す斜視図である。図３及び図４に示すように、本実施形態に係るジョイントコネクタ１００は、分割可能な構造の筒形のハウジング１１０Ａと、このハウジング１１０Ａの装着溝１１１ａに装着される円弧状に形成された複数分割構造のバスバー１０Ａとを備えている。
【００３０】
バスバー１０Ａは、それぞれ円弧状の部分が装着溝１１１ａ内において接続部１５により接続されることで、ハウジング１１０Ａの形状に合わせて環状に構成される。端子導入口１１３，１１４（１１４は不図示）は、ハウジング１１０Ａの筒形に合わせて円形に配置されるように複数形成されている。
【００３１】
ハウジング１１０Ａは、分割部分の一方の端部側がヒンジ部９０により連結され、他方の端部側が係合片９１及び係合穴９２からなるロック部により固定可能に形成されている。なお、図示は省略するが、ロック部は、ハウジング１１０Ａの外形から出っ張らないように構成することもできる。
【００３２】
従って、図３に示すようにハウジング１１０Ａを開いた状態で装着溝１１１ａにバスバー１０Ａを装着し、図４に示すようにハウジング１１０Ａを閉じれば、ハウジング１１０Ａが中心穴１１９を有する本実施形態に係るジョイントコネクタ１００を形成することができる。なお、図３に示すように、ジョイントコネクタ１００は、クリップ１１８を装着することで、このクリップ１１８を介して任意の配置位置に取付固定することが可能となる。
【００３３】
このような構造のジョイントコネクタ１００は、図５に示すように、上記ジョイントコネクタと同様の作用効果を奏することができると共に、ハウジング１１０Ａの中心穴１１９に他のハーネス５９を通すことができるので、ジョイントコネクタ１００の設置自由度を向上させることができる。また、電線５１，５２をハーネス５９の外形に合わせた円状で接続することができるので、ハーネス５９からの電線５１，５２の配索形態を複雑化させずに接続することが可能となる。
【００３４】
図６は、本発明の更に他のジョイントコネクタの使用状態を示す斜視図である。図７は、このジョイントコネクタの他の使用状態を示す正面図である。図６に示すように、本実施形態に係るジョイントコネクタ１００は、上記ロック部を備えない分割可能な構造の筒形のハウジング１１０Ｂを備え、ハウジング１１０Ｂをテープ１１７で一体化して止める構造を備えている。このような構成にしても、上記ハウジング１１０Ａを備えるジョイントコネクタ１００と同様の作用効果を奏することができる。
【００３５】
なお、このように構成すれば、図７に示すように、大きさの異なる複数のハウジング１１０Ｂを同心円状に重ねて配置することができるので、接続される電線５１，５２の窓数を増やすことが可能となる。このことは、上述したようなロック部がハウジング１１０Ａの外形から出っ張らないような構造の場合も適用可能である。
【００３６】
図８は、本発明の他の実施形態に係る接続端子の接続構造を説明するための接続端子の側面及び正面図である。図９は、この接続構造を説明するための接続端子とバスバーとの接続動作説明図である。図８（ａ）に示すように、接続端子５３Ａは、接続部５３ａ、芯線圧着部５３ｂ及び電線５１を保持する電線保持部５３ｃを備える点は上記接続端子５３と同様であるが、接続部５３ａに、バスバー１０の孔部１４への挿入時に収縮するように変位すると共に、挿入後に孔部１４の開口周縁部に係合可能に膨張するように変位する傘状又は錨状の弾性片５３ｆ，５３ｇが設けられている点が相違している。
【００３７】
弾性片５３ｆは、接続部５３ａの先端部において、先端側から基端側に向かって折り返された形状に形成され、弾性片５３ｇは、接続部５３ａの基端部近傍において、弾性片５３ｆの折り返し先端側を更に接続部５３ａの先端側に向かって湾曲に折り曲げて弾性片５３ｆの内側に位置するような形状に形成されている。また、図８（ｂ）に示すように、接続端子５３Ａの接続部５３ａは、内部に接続端子５４Ａの接続部５４ａが挿入嵌合される空間部５３ｈを備えている。
【００３８】
このように構成された接続端子５３Ａは、ハウジング１１０，１１０Ａ（図示せず）に取り付けられたバスバー１０，１０Ａの孔部１４に、端子導入口１１３から挿入された上で接続部５３ａが挿入されると、弾性片５３ｆ，５３ｇが孔部１４を通過可能に変形する。
【００３９】
そして、図９（ａ）に示すように、接続部５３ａが完全挿入されると、弾性片５３ｆ，５３ｇが孔部１４の開口周縁部に係合可能に復元して孔部１４に引っ掛かる形状となる。この時点で、接続端子５３Ａが孔部１４から自然に脱落することはない。なお、接続端子５３Ａをバスバー１０，１０Ａの孔部１４から取り外す場合は、別途図示しない治具等を用いて外すことも可能である。
【００４０】
次に、孔部１４に取り付けられた接続端子５３Ａに接続される、電線５２の先端部に取り付けられた接続端子５４Ａを、端子導入口１１４から接続端子５３Ａの挿入方向とは反対方向から挿入し、図９（ｂ）に示すように、接続部５４ａを空間部５３ｈに挿入嵌合する。
【００４１】
接続部５３ａ，５４ａ同士の接続は、圧入等により行われても良いが、本例では接続部５３ａに形成された窓部５３ｉに接続部５４ａの係合片５４ｅが係合することで、更に接続端子５４Ａが接続端子５３Ａから自然に脱落しない構造が採用されている。これにより、接続端子５３Ａ，５４Ａを確実にバスバー１０，１０Ａに接続することができる。
【００４２】
図１０は、本発明の更に他の実施形態に係る接続端子の接続構造を説明するための接続端子の側面図である。図１１は、この接続構造を説明するための接続端子とバスバーとの接続動作説明図である。図１０に示すように、接続端子５３Ｂは、接続部５３ａ、芯線圧着部５３ｂ、電線保持部５３ｃ及び弾性片５３ｆ，５３ｇを備える点は上記接続端子５３Ａと同様であるが、接続部５３ａの基端側と芯線圧着部５３ｂの先端側の間に、傘状のストッパ部５３ｊが設けられている点が相違している。
【００４３】
このように構成された接続端子５３Ｂは、ハウジング１１０，１１０Ａ（図示せず）に取り付けられたバスバー１０，１０Ａの孔部１４に、端子導入口１１３から挿入された上で接続部５３ａが挿入されると、上記のように弾性片５３ｆ，５３ｇが孔部１４を通過可能に変形する。
【００４４】
そして、図１１（ａ）に示すように、接続部５３ａが完全挿入されると、弾性片５３ｆ，５３ｇが孔部１４の開口周縁部に係合可能に復元して孔部１４に引っ掛かる形状となると共に、反対側の孔部１４の開口周縁部にストッパ部５３ｊが当接して引っ掛かる。この時点で、接続端子５３Ｂが孔部１４から自然に脱落することはない。
【００４５】
次に、孔部１４に取り付けられた接続端子５３Ｂに接続される、電線５２の先端部に取り付けられた接続端子５４Ｂを、端子導入口１１４から接続端子５３Ｂの挿入方向とは反対方向から挿入し、図１１（ｂ）に示すように、筒状の接続部５４ａの空間部５４ｆ内に接続部５３ａが挿入嵌合されるように接続する。
【００４６】
接続部５３ａ，５４ａ同士の接続は、本例では接続部５３ａに形成された弾性片５３ｆ，５３ｇの弾性力により保持されている。このような構造でも、更に接続端子５４Ｂが接続端子５３Ｂから自然に脱落しない構造とすることができ、接続端子５３Ｂ，５４Ｂを確実にバスバー１０，１０Ａに接続することができる。
【符号の説明】
【００４７】
１０，１０Ａ                バスバー
１０ａ                      突起部
１４                        孔部
１４ａ                      弾性片
１５                        接続部
５１，５２                  電線
５３，５４                  接続端子
５３ａ，５４ａ              接続部
５３ｂ，５４ｂ              芯線圧着部
５３ｃ，５４ｃ              電線保持部
５３ｄ                      基端側係合片
５３ｅ                      先端側係合片
５３ｆ，５３ｇ              弾性片
５３ｈ                      空間部
５３ｉ                      窓部
５３ｊ                      ストッパ部
５４ｅ                      係合片
１００                      ジョイントコネクタ
１１０，１１０Ａ，１１０Ｂ  ハウジング
１１１                      装着孔
１１１ａ                    装着溝
１１３，１１４              端子導入口
１１５                      端子収容室
【図１】
2013232337.tif 000003
【図２】
2013232337.tif 000004
【図３】
2013232337.tif 000005
【図４】
2013232337.tif 000006
【図５】
2013232337.tif 000007
【図６】
2013232337.tif 000008
【図７】
2013232337.tif 000009
【図８】
2013232337.tif 000010
【図９】
2013232337.tif 000011
【図１０】
2013232337.tif 000012
【図１１】
2013232337.tif 000013